(57)【特許請求の範囲】
【請求項１】
Ｘ線撮影を行った撮影画像を表示部に表示するＸ線撮影装置において、
複数種の患者情報からなる患者データと、患者の撮影画像からなる画像データと、前記患者データと前記画像データとのリンク情報からなるリンクデータとを記憶した記憶部と、
前記画像データに対し、前記患者データを構成する前記患者情報の少なくとも一つを付加する患者情報付加手段と、
前記患者データと前記リンクデータとに基づいて前記画像データを読み出すときに、前記画像データに付加された患者情報と、前記患者データにおける対応する患者情報とを比較する比較手段と、
前記比較手段により比較した前記画像データに付加された患者情報と前記患者データにおける対応する患者情報とが一致しない場合に、患者情報が一致しないことを報知する報知手段と、
を備えたことを特徴とするＸ線撮影装置。
【請求項２】
請求項１に記載のＸ線撮影装置において、
前記患者情報付加手段は、前記画像データにおける画素領域に、前記患者情報を埋め込むＸ線撮影装置。
【請求項３】
請求項２に記載のＸ線撮影装置において、
前記患者情報付加手段は、Ｘ線撮影時に前記表示部に表示された患者情報をキャプチャし、このキャプチャされた患者情報を前記画像データにおける画素領域に埋め込むＸ線撮影装置。
【請求項４】
請求項２に記載のＸ線撮影装置において、
Ｘ線撮影を行った撮影画像を前記表示部に表示するときに、前記画像データにおける画素領域に埋め込まれた患者情報を除外した状態で前記表示部に表示を行うための画像処理部を備えるＸ線撮影装置。
【請求項５】
請求項１乃至請求項４のいずれかに記載のＸ線撮影装置において、
前記報知手段は、前記比較手段により比較した前記画像データに付加された患者情報と前記患者データにおける対応する患者情報とが一致しない場合に、エラー情報を表示することにより、患者情報が一致しないことを報知するＸ線撮影装置。
【請求項６】
請求項１乃至請求項４のいずれかに記載のＸ線撮影装置において、
前記報知手段は、前記比較手段により比較した前記画像データに付加された患者情報と前記患者データにおける対応する患者情報とが一致しない場合に、読み出した画像データを表示しないことにより、患者情報が一致しないことを報知するＸ線撮影装置。
【請求項７】
請求項１乃至請求項４のいずれかに記載のＸ線撮影装置において、
前記報知手段は、前記比較手段により比較した前記画像データに付加された患者情報と前記患者データにおける対応する患者情報とが一致しない場合に、読み出した画像データに付加された患者情報を表示することにより、患者情報が一致しないことを報知するＸ線撮影装置。
【発明の詳細な説明】
【技術分野】
【０００１】
この発明は、Ｘ線を利用して患者を撮影する医療用のＸ線撮影装置に関し、特に、Ｘ線撮影を行った撮影画像を表示部に表示するＸ線撮影装置に関する。
【背景技術】
【０００２】
このようなＸ線撮影装置においては、Ｘ線撮影を行った画像を保存する場合には、その管理方法として、患者の氏名やＩＤ番号、生年月日、性別あるいは検査情報等の患者データをデータベースとして管理するとともに、患者の撮影画像から成る画像データは別ファイルとして保存している。そして、患者データと画像データとは、画像データのアドレス等のリンク情報により関連づけがなされており、特定の患者の画像を読み出す場合には、患者データのデータベースからリンク情報となるリンクデータを利用して、必要な画像データが読み出される構成となっている（特許文献１参照）。
【０００３】
また、加熱治療装置において、治療時に患者ＩＤを登録し、この患者ＩＤと画像データ中に含まれる患者ＩＤとが一致するか否かを確認した後にシミュレーションを実施する構成も提案されている（特許文献２参照）。
【先行技術文献】
【特許文献】
【０００４】
【特許文献１】特開２００９−１１７２１号公報
【特許文献２】特開２００２−１７７４３号公報
【発明の概要】
【発明が解決しようとする課題】
【０００５】
特許文献１に記載されたように、患者の氏名や生年月日等の複数種の患者情報からなる患者データと、患者の撮影画像からなる画像データとを別々に記憶し、これらを患者データと画像データとのリンク情報である画像アドレス等からなるリンクデータにより関連づけて記憶する場合において、患者データと画像データとが正しくリンクされなかった場合や、データの書き込み時に生ずるノイズや誤動作により画像データに誤ったリンク情報が記録された場合、あるいは、データの読み込み時に生ずるノイズや誤動作により誤ったリンク情報が読み込まれた場合には、その誤りを報知する手段がなかったことから、誤った画像情報に基づいて診断等がなされてしまうことになる。
【０００６】
なお、特許文献２に記載された加熱治療装置においては、特許文献１に記載されたような患者データと画像データとをアドレス等のリンク情報により関連づけた構成とはなっていないことから、このような問題が生ずることはない。また、特許文献２に記載された加熱治療装置においては、患者データの確認処理は、治療モードにおいて患者ＩＤを登録することにより実行されるものとなっている。
【０００７】
この発明は上記課題を解決するためになされたものであり、患者に対応した正しい画像データを読み出すことができ、誤診や誤った治療がなされることを防止することが可能なＸ線撮影装置を提供することを目的とする。
【課題を解決するための手段】
【０００８】
請求項１に記載の発明は、Ｘ線撮影を行った撮影画像を表示部に表示するＸ線撮影装置において、複数種の患者情報からなる患者データと、患者の撮影画像からなる画像データと、前記患者データと前記画像データとのリンク情報からなるリンクデータとを記憶した記憶部と、前記画像データに対し、前記患者データを構成する前記患者情報の少なくとも一つを付加する患者情報付加手段と、前記患者データと前記リンクデータとに基づいて前記画像データを読み出すときに、前記画像データに付加された患者情報と、前記患者データにおける対応する患者情報とを比較する比較手段と、前記比較手段により比較した前記画像データに付加された患者情報と前記患者データにおける対応する患者情報とが一致しない場合に、患者情報が一致しないことを報知する報知手段とを備えたことを特徴とする。
【０００９】
請求項２に記載の発明は、請求項１に記載の発明において、前記患者情報付加手段は、前記画像データにおける画素領域に、前記患者情報を埋め込む。
【００１０】
請求項３に記載の発明は、請求項２に記載の発明において、前記患者情報付加手段は、Ｘ線撮影時に前記表示部に表示された患者情報をキャプチャし、このキャプチャされた患者情報を前記画像データにおける画素領域に埋め込む。
【００１１】
請求項４に記載の発明は、請求項２に記載の発明において、Ｘ線撮影を行った撮影画像を前記表示部に表示するときに、前記画像データにおける画素領域に埋め込まれた患者情報を除外した状態で前記表示部に表示を行うための画像処理部を備える。
【００１２】
請求項５に記載の発明は、請求項１乃至請求項４のいずれかに記載の発明において、前記報知手段は、前記比較手段により比較した前記画像データに付加された患者情報と前記患者データにおける対応する患者情報とが一致しない場合に、エラー情報を表示することにより、患者情報が一致しないことを報知する。
【００１３】
請求項６に記載の発明は、請求項１乃至請求項４のいずれかに記載の発明において、前記報知手段は、前記比較手段により比較した前記画像データに付加された患者情報と前記患者データにおける対応する患者情報とが一致しない場合に、読み出した画像データを表示しないことにより、患者情報が一致しないことを報知する。
【００１４】
請求項７に記載の発明は、請求項１乃至請求項４のいずれかに記載の発明において、前記報知手段は、前記比較手段により比較した前記画像データに付加された患者情報と前記患者データにおける対応する患者情報とが一致しない場合に、読み出した画像データに付加された患者情報を表示することにより、患者情報が一致しないことを報知する。
【発明の効果】
【００１５】
請求項１に記載の発明によれば、画像データに付加された患者情報と患者データにおける対応する患者情報とを比較する比較手段の作用により、患者に対応していない画像データが読み出された場合にこれを報知することができることから、誤診や誤った治療がなされることを防止することが可能となる。
【００１６】
請求項２に記載の発明によれば、画像データにおける画素領域に患者情報を埋め込むことから、患者情報が画像データにおける画素と同様に取り扱われることとなり、この患者情報が画像データから削除等されることを防止することが可能となる。
【００１７】
請求項３に記載の発明によれば、Ｘ線撮影中に表示部に表示された患者情報をキャプチャした患者情報を画素領域に埋め込むことから、Ｘ線撮影時にオペレータが患者自身に確認した情報を画素領域に埋め込むことが可能となる。このため、埋め込まれるデータ自体がより正確なものとなり、誤診や誤った治療がなされることをより確実に防止することが可能となる。
【００１８】
請求項４に記載の発明によれば、Ｘ線撮影を行った撮影画像を表示部に表示するときに、画像データにおける画素領域に埋め込まれた患者情報を除外した状態で表示部に表示を行うことから、表示部に撮影画像のみを正確に表示することが可能となる。
【００１９】
請求項５に記載の発明によれば、患者に対応していない画像データが読み出された場合に、エラー表示によりこれを報知することが可能となる。
【００２０】
請求項６に記載の発明によれば、患者に対応していない画像データが読み出された場合に、画像データを表示しないことによりこれを報知することが可能となる。
【００２１】
請求項７に記載の発明によれば、患者に対応していない画像データが読み出された場合に、読み出した画像データに付加された患者情報を表示することにより、これを報知することが可能となる。
【図面の簡単な説明】
【００２２】
【図１】この発明に係るＸ線撮影装置の概要図である。
【図２】患者データと画像データとの関係を示す説明図である。
【図３】この発明に係るＸ線撮影装置によるＸ線撮影動作を示すフローチャートである。
【図４】表示部９に表示された表示画像と患者情報が付加された画像データとの関係を示す説明図である。
【図５】この発明に係るＸ線撮影装置による表示動作を示すフローチャートである。
【発明を実施するための形態】
【００２３】
以下、この発明の実施の形態を図面に基づいて説明する。図１は、この発明に係るＸ線撮影装置の概要図である。
【００２４】
このＸ線撮影装置は、患者４を載置するテーブル３と、Ｘ線管１と、このＸ線管１に付与する管電圧等を制御する高電圧発生部５と、Ｘ線検出器としてのフラットパネルディテクタ２と、画像処理部６１、患者情報付加部６２および比較部６３を備えた制御部６と、ハードディスク等の記憶部７と、キーボード等の入力部８と、ＣＲＴ等から構成された表示部９とを備える。
【００２５】
このＸ線撮影装置は、Ｘ線管１からテーブル３上の患者４に向けてＸ線を照射し、患者４を通過したＸ線をフラットパネルディテクタ２により検出し、制御部６における画像処理部６１において検出されたＸ線を画像処理し、画像処理されたＸ線画像を記憶部７に記憶するとともに、記憶されたＸ線画像を表示部９に表示する構成を有する。
【００２６】
また、このＸ線撮影装置においては、患者の氏名やＩＤ番号、生年月日、性別あるいは検査情報等の患者情報から成る患者データは、Ｘ線撮影時等において、入力部８を利用して入力される。入力された患者データは、記憶部７に記憶される。そして、この患者データと、患者を撮影したＸ線画像から成る画像データとは、画像データのアドレス等のリンク情報を利用してリンクされる。この患者データと画像データとのリンク情報からなるリンクデータも、記憶部７に記憶されている。
【００２７】
図２は、患者データと画像データとの関係を示す説明図である。
【００２８】
各患者データは、患者の氏名やＩＤ番号、生年月日、性別あるいは検査情報等の複数種の患者情報から構成される。また、各画像データは、画像データの情報を示すヘッダと、患者４の撮影画像を示す画素領域から構成される。各画像データのヘッダには、この画像データのアドレスが記載されている。また、各患者データは、各画像データのアドレスを含んでいる。この各画像データのアドレスは、患者データと画像データとのリンク関係を示すリンク情報であり、各画像データはこのリンク情報からなるリンクデータに基づいて読み出される。
【００２９】
次に、このＸ線撮影装置によるＸ線撮影動作について説明する。図３は、この発明に係るＸ線撮影装置によるＸ線撮影動作を示すフローチャートである。
【００３０】
Ｘ線撮影を行うに先だって、患者情報を入力する（ステップＳ１１）。この患者情報は、図２に示すように、例えば、患者の氏名やＩＤ番号、生年月日、性別あるいは検査情報等である。各患者情報は、オペレータが入力部８を使用して入力する。また、一部の患者情報は、診察券等の情報をオンラインで取り込むことにより入力される。これらの患者情報は、患者データとして、記憶部７に記憶される。
【００３１】
患者データを構成する患者情報は、表示部９に表示される（ステップＳ１２）。オペレータは、この患者情報のうちの患者４の氏名や生年月日等を読み上げることにより、Ｘ線撮影を行う患者４に対して誤認がないかの確認を行う。そして、患者４の確認がなされた後に、制御部６における患者情報付加部６２は、表示部９に表示された患者情報のうちの少なくとも一つの領域、例えば、患者氏名が表示された領域をキャプチャする（ステップＳ１３）。
【００３２】
以上の準備工程が完了すれば、Ｘ線撮影を行う（ステップＳ１４）。そして、撮影画像を表示部９に表示する（ステップＳ１５）。しかる後、患者情報付加部６２が、撮影された画像データに対し、キャプチャにより取得された患者情報を付加する（ステップＳ１６）。
【００３３】
図４は、ステップＳ１２において表示部９に表示された表示画像と患者情報が付加された画像データとの関係を示す説明図である。
【００３４】
上述したように、患者情報付加部６２は、表示部９に表示された患者データにおける少なくとも一つの患者情報をキャプチャする。この実施形態においては、表示部９に表示された患者データのうちの患者の氏名部分がキャプチャされている。そして、この患者情報としての患者４の氏名は、テキストデータ等にも変換された後に、画像データにおける画素領域に埋め込まれる。
【００３５】
この画像データは、上述したように、ヘッダと画素領域とから構成される。そして、画素領域は、例えば、１０２４×１０２４の画像データから構成される。このため、例えば、画素領域のうちの最下部の１ラインの容量は２０４８バイトとなる。この２０４８バイトの領域に、キャプチャされた患者情報である患者の氏名が、上書きされ、埋め込まれることにより、画像データに対して患者情報が付加される。
【００３６】
次に、このＸ線撮影装置によるＸ線撮影画像等の表示動作について説明する。図５は、この発明に係るＸ線撮影装置による表示動作を示すフローチャートである。
【００３７】
オペレータは、最初に、入力部８等を使用して、図２に示す患者データから表示すべき画像を選択する（ステップＳ２１）。表示された画像が選択された場合には、この患者データとそのリンクデータである画像のアドレスとに基づいて画像データを読み出す（ステップＳ２２）。
【００３８】
そして、制御部６における比較部６３により、この画像データに付加されている患者情報と、患者データにおける対応する患者情報とを比較する（ステップＳ２３）。なお、この実施形態においては、患者情報としてキャプチャにより取得した患者氏名が選択されている。このため、比較部は、画像データに付加された患者氏名と、患者データにおける患者氏名とを比較する。
【００３９】
画像データに付加されている患者情報と患者データにおける対応する患者情報とが一致した場合には（ステップＳ２４）、表示部９に対して選択された画像を表示する（ステップＳ２５）。この場合には、制御部６における画像処理部６１は、画像データにおける画素領域のデータのうち、画素領域に埋め込まれた患者情報を除外した状態で、表示部９に撮影画像を表示する。このため、表示部９に撮影画像のみを正確に表示することが可能となる。
【００４０】
一方、画像データに付加されている患者情報と患者データにおける対応する患者情報とが一致しない場合には（ステップＳ２４）、表示部９に対して画像の表示は行わない。そして、制御部６は、表示部９に対してエラー情報を表示することにより、患者情報が一致しないことを報知する（ステップＳ２６）。また、これと併せて、表示部９に対して読み出した画像データに付加された患者情報を表示することにより、患者情報が一致しないことを報知する（ステップＳ２７）。この場合には、この実施形態においては、異なる患者の氏名が表示部に表示されることになる。
【００４１】
このように、このＸ線撮影装置においては、画像データに付加されている患者情報と患者データにおける対応する患者情報とが一致しない場合に、画像を表示しないこと、エラー表示を行うこと、および、画像データに付与された対応しない患者情報を表示すること、の三種類の対応により、患者に対応していない画像データが読み出されて、誤診や誤った治療がなされることを防止することが可能となる。
【００４２】
なお、上述した実施形態においては、画像データにおける画素領域に患者情報を埋め込むことにより、画像データに患者情報を付加しているが、画素領域とは別に患者情報を記録する領域を追加し、この領域に患者情報を記録することにより、画像データに患者情報を付加するようにしてもよい。
【００４３】
また、上述した実施形態においては、表示部９に表示された患者情報をキャプチャし、このキャプチャにより取得した患者情報を画像データにおける画素領域に埋め込む構成を採用しているが、オペレータが入力部８を使用して患者情報を入力し、この患者情報を画像データに付加するようにしてもよい。
【００４４】
さらに、上述した実施形態においては、画像データに付加された患者情報と患者データにおける対応する患者情報とを比較する場合に、この患者データとして患者の氏名を利用しているが、患者の氏名と患者のＩＤというように、複数の患者データを比較して確認を行うようにしてもよい。
【符号の説明】
【００４５】
１      Ｘ線管
２      フラットパネルディテクタ
３      テーブル
４      患者
５      高電圧発生部
６      制御部
７      記憶部
８      入力部
９      表示部
６１    画像処理部
６２    患者情報付加部
６３    比較部
【図１】
0005454401.tif 000002
【図２】
0005454401.tif 000003
【図３】
0005454401.tif 000004
【図４】
0005454401.tif 000005
【図５】
0005454401.tif 000006